(57)【特許請求の範囲】
【請求項１】
処理の開始を指示するアイコン情報を受信し、該受信したアイコン情報を順次表示する表示装置とネットワーク回線を介して通信可能に接続され、前記表示装置から指示される前記処理を実行可能な処理装置であって、
前記表示装置にアイコン情報を送信する第２送信手段と、
前記表示装置から指示された前記処理に係る処理実行量を記憶する第２記憶手段と、
前記処理実行量に係る複数の分類と、該分類各々に対応した夫々異なる前記アイコン情報と、該各々のアイコン情報に対する優先順位を示す出力順情報と、を対応付けて記憶する第３記憶手段と、
前記第２記憶手段に記憶された処理実行量に対応する分類を、前記第３記憶手段から特定する第２特定手段と、
前記第２特定手段により特定される分類に対応する前記出力順情報と比較して、優先順位の高い前記出力順情報に対応付けられたアイコン情報から、前記第２特定手段により特定される分類に対応する前記出力順情報に対するアイコン情報までを、前記出力順情報にしたがい順次、前記表示装置に送信するよう前記第２送信手段を制御する第２送信制御手段と、
を備えていることを特徴とする処理装置。
【請求項２】
前記第２送信制御手段は、
前記第２特定手段により特定される分類に対応する前記出力順情報と比較して、優先順位の高い前記出力順情報に対するアイコン情報から、前記第２特定手段により特定される分類に対応する前記出力順情報に対するアイコン情報までを、前記出力順情報にしたがい順次、送信することを繰り返すように前記第２送信手段を制御する
ことを特徴とする請求項１記載の処理装置。
【請求項３】
前記表示装置による前記処理の指示から、所定期間内に該表示装置からの前記処理の指示を受け付けたか否かを判断する判断手段と、
前記判断手段により、前記所定期間内に前記表示装置から前記処理の指示を受け付けたと判断すると、該表示装置に対する前記処理実行量を該処理の指示に係る第１所定量変更し、前記所定期間内に前記表示装置から前記処理の指示を受け付けていないと判断すると、該表示装置に対する前記処理実行量を第２所定量変更する変更手段と、
を備えることを特徴とする請求項１又は２に記載の処理装置。
【請求項４】
前記請求項１乃至３の何れかに記載の処理装置と、該処理装置に処理の開始を指示する
アイコン情報を表示する表示装置と、が通信可能に接続されて構成される表示システムであって、
前記表示装置は、
前記処理装置から送信される前記アイコン情報を受信する受信手段と、
前記受信手段が受信したアイコン情報を順次表示する表示手段と、
を備えることを特徴とする表示システム。
【請求項５】
処理の開始を指示するアイコン情報を受信し、該受信したアイコン情報を順次表示する表示装置とネットワーク回線を介して通信可能に接続され、前記表示装置から指示される前記処理を実行可能なコンピュータが読み取り可能なプログラムであって、
前記コンピュータを、
前記表示装置にアイコン情報を送信する第２送信手段と、
前記表示装置から指示された前記処理に係る処理実行量を記憶する第２記憶手段と、
前記処理実行量に係る複数の分類と、該分類各々に対応した夫々異なる前記アイコン情報と、該各々のアイコン情報に対する優先順位を示す出力順情報と、を対応付けて記憶する第３記憶手段と、
前記第２記憶手段に記憶された処理実行量に対応する分類を、前記第３記憶手段から特定する第２特定手段と、
前記第２特定手段により特定される分類に対応する前記出力順情報と比較して、優先順位の高い前記出力順情報に対応付けられたアイコン情報から、前記第２特定手段により特定される分類に対応する前記出力順情報に対するアイコン情報までを、前記出力順情報にしたがい順次、前記表示装置に送信するよう前記第２送信手段を制御する第２送信制御手段と、
して機能させるためのプログラム。
【発明の詳細な説明】
【技術分野】
【０００１】
本発明は、アイコン情報を表示する表示システム、この表示システムに含まれる処理装置に関する。
【背景技術】
【０００２】
従来より、アイコンメニューを表示する際、アイコン情報の選択頻度に応じてアイコン情報の表示サイズを変化させ、選択頻度の高いアイコン情報はより大きく表示し、選択頻度の低いアイコン情報はより小さく表示するようにして、利用者のアイコン情報を選択する作業効率を向上させるアイコンメニュー表示装置が公開されていた（例えば、特許文献１参照）。
【０００３】
【特許文献１】特開平５−２００１６号公報
【発明の開示】
【発明が解決しようとする課題】
【０００４】
しかしながら、上記のように従来の表示装置では、よく選択するアイコン情報は大きくなり選択に係る作業効率は向上するが、一方で、選択を所望するアイコン情報と同じサイ
ズのアイコン情報が存在すると、画面上のどこに配列されたのか一目では判断しづらく、利用者は所望のアイコン情報が画面上のどこに配列されたのか順に探していかなければならず、アイコンの選択性が悪かった。
【０００５】
本発明は、処理の開始を指示するアイコン情報を受信し、該受信したアイコン情報を順次表示する表示装置に対して、利用者が所望の処理を開始させるアイコン情報を容易に判別可能となるようにアイコン情報の表示を順次変化させることが可能な処理装置及びこの処理装置に対して所定の動作を実行可能なプログラムを提供することを目的とする。
【課題を解決するための手段】
【０００６】
上記従来の課題に鑑みなされた本発明は、処理の開始を指示するアイコン情報を受信し、該受信したアイコン情報を順次表示する表示装置に対して、優先順位を示す出力順情報が対応付けられた複数のアイコン情報を、その出力順情報にしたがい順次送信する処理装置としたものである。
【発明の効果】
【０００７】
【０００８】
【０００９】
請求項１に係る発明によれば、表示装置において、処理実行量に応じて順にアイコン情報が変化して表示されるので、表示されたアイコン情報を容易に判別でき、アイコン情報選択時の操作性を向上させることができる。その上、処理実行量に応じてその表示されるアイコン情報が異なるので、利用者はどの程度その処理を実行したか判断することができる。
【００１０】
請求項２に係る発明によれば、表示装置において、処理実行量に応じたアイコン情報の変化が繰り返し表示されるので、アイコン情報をより容易に判別することができ、アイコン選択時の操作性を向上させることが可能である。
【００１１】
請求項３に係る発明によれば、実際の処理の指示に係る処理実行量に応じた適切なアイコン情報を表示させられるとともに、所定時間処理の指示をしていない場合は、アイコン情報に変化をさせることで利用者に一定期間処理を指示していないことを報知することができる。
【００１２】
請求項４に係る発明によれば、表示装置において、利用者が所望の処理を開始させるアイコン情報を容易に判別できるため、アイコン選択時の操作性を向上させることができる。また、まとめて複数のアイコン情報を送信し、それらを順に表示させる構成では、その表示用のプログラムを別途表示装置に備えさせる必要があるが、本発明では、アイコン情報を順に送信し、送られてきたアイコン情報を順に表示装置で表示するだけなので、表示装置にそのようなプログラムを備えさせる必要がない。
【００１３】
【００１４】
請求項５に係る発明によれば、請求項１に係る処理装置として動作可能なプログラムを得ることができる。
【発明を実施するための最良の形態】
【００１５】
本願に係る発明は、処理の開始を指示するアイコン情報を受信し、該受信したアイコン情報を順次表示する表示装置と通信可能に接続され、前記表示装置から指示される前記処
理を実行可能な処理装置であって、前記表示装置に表示させるアイコン情報を送信する第１送信手段と、各々異なる複数の前記アイコン情報と、該各々のアイコン情報に対する優先順位を示す出力順情報と、を対応付けて記憶する第１記憶手段と、前記アイコン情報を、前記優先順位の高い前記出力順情報に対するアイコン情報から順次、前記出力順情報にしたがい送信するように前記第１送信手段を制御する第１送信制御手段と、を備えていることを特徴とする処理装置である。
【００１６】
これにより、処理の開始を指示するアイコン情報を受信し、該受信したアイコン情報を順次表示する表示装置に対して、アイコン情報を優先順位を示す出力情報にしたがい順次送信することができる。
【００１７】
また、前記第１送信制御手段は、前記制御を繰り返すことを特徴としてもよい。
【００１８】
これにより、アイコン情報を優先順位を示す出力情報にしたがい順次送信する一連の動作を繰り返し行うことができるため、表示装置にアイコン情報を順次変化させ続けて表示させることができる。
【００１９】
請求項１に係る発明は、処理の開始を指示するアイコン情報を受信し、該受信したアイコン情報を順次表示する表示装置とネットワーク回線を介して通信可能に接続され、前記表示装置から指示される前記処理を実行可能な処理装置であって、前記表示装置にアイコン情報を送信する第２送信手段と、前記表示装置から指示された前記処理に係る処理実行量を記憶する第２記憶手段と、前記処理実行量に係る複数の分類と、該分類各々に対応した夫々異なる前記アイコン情報と、該各々のアイコン情報に対する優先順位を示す出力順情報と、を対応付けて記憶する第３記憶手段と、前記第２記憶手段に記憶された処理実行量に対応する分類を、前記第３記憶手段から特定する第２特定手段と、前記第２特定手段により特定される分類に対応する前記出力順情報と比較して、優先順位の高い前記出力順情報に対応付けられたアイコン情報から、前記第２特定手段により特定される分類に対応する前記出力順情報に対するアイコン情報までを、前記出力順情報にしたがい順次、前記表示装置に送信するよう前記第２送信手段を制御する第２送信制御手段と、を備えていることを特徴とする処理装置である。
【００２０】
これにより、表示装置から指示された処理に係る処理実行量に応じて表示するように設定されたアイコン情報と、優先順位を示す出力順情報によりそのアイコン情報よりも優先的に表示するように設定されたアイコン情報とを、各々のアイコン情報が対応する出力順情報にしたがって順次送信することができるため、表示装置にアイコン情報を順次変化させながら表示させることができる。
【００２１】
請求項２に係る発明は、前記第２送信制御手段は、前記第２特定手段により特定される分類に対応する前記出力順情報と比較して、優先順位の高い前記出力順情報に対するアイコン情報から、前記第２特定手段により特定される分類に対応する前記出力順情報に対するアイコン情報までを、前記出力順情報にしたがい順次、送信することを繰り返すように前記第２送信手段を制御することを特徴とする請求項１記載の処理装置である。
【００２２】
これにより、表示装置から指示された処理に係る処理実行量に応じて表示するように設定されたアイコン情報と、優先順位を示す出力順情報によりそのアイコン情報よりも優先的に表示するように設定されたアイコン情報とを、各々出力順情報にしたがって順次送信する一連の動作を繰り返し行うことができるため、表示装置にアイコン情報を順次変化させ続けて表示させることができる。
【００２３】
請求項３に係る発明は、前記表示装置による前記処理の指示から、所定期間内に該表示
装置からの前記処理の指示を受け付けたか否かを判断する判断手段と、前記判断手段により、前記所定期間内に前記表示装置から前記処理の指示を受け付けたと判断すると、該表示装置に対する前記処理実行量を該処理の指示に係る第１所定量変更し、前記所定期間内に前記表示装置から前記処理の指示を受け付けていないと判断すると、該表示装置に対する前記処理実行量を第２所定量変更する変更手段と、を備えることを特徴とする請求項１又は２に記載の処理装置である。  
【００２４】
これにより、所定期間内に処理の開始指示をしてきた表示装置に対しては、実際の処理の指示に係る処理実行量に応じた適切なアイコン情報を表示させることができ、所定期間内に処理の開始指示をしてこなかった表示装置に対しては、実際の処理の指示に係る処理実行量とは異なるアイコン情報の変化をさせることができる。
【００２５】
なお、「処理の指示に係る第１所定量」とは、処理の指示に限定するものではなく、その指示により実際に行った処理の内容に関するものも含まれる。また、「第２所定量」とは、処理実行量に対して正の量変更するものに限らず、負の量変更するものも含まれる。
【００２６】
請求項４に係る発明は、前記請求項１乃至３の何れかに記載の処理装置と、該処理装置に処理の開始を指示するアイコン情報を表示する表示装置と、が通信可能に接続されて構成される表示システムであって、前記表示装置は、前記処理装置から送信される前記アイコン情報を受信する受信手段と、前記受信手段が受信したアイコン情報を順次表示する表示手段と、を備えることを特徴とする表示システムである。
【００２７】
これにより、処理装置はアイコン情報を優先順位を示す出力情報にしたがい順次送信することができ、表示装置は送信されてくるアイコン情報を順次表示させることができる。
【００２８】
また、処理の開始を指示するアイコン情報を受信し、該受信したアイコン情報を順次表示する表示装置と通信可能に接続され、前記表示装置から指示される前記処理を実行可能なコンピュータが読み取り可能なプログラムであって、前記コンピュータを、前記表示装置に表示させるアイコン情報を送信する第１送信手段と、各々異なる複数の前記アイコン情報と、該各々のアイコン情報に対する優先順位を示す出力順情報と、を対応付けて記憶する第１記憶手段と、前記アイコン情報を、前記優先順位の高い前記出力順情報に対するアイコン情報から順次、前記出力順情報にしたがい送信するように前記第１送信手段を制御する第１送信制御手段と、して機能させるためのプログラムである。
【００２９】
これにより、処理の開始を指示するアイコン情報を受信し、該受信したアイコン情報を順次表示する表示装置に対して、アイコン情報を優先順位を示す出力情報にしたがい順次送信することができる。
【００３０】
請求項５に係る発明は、処理の開始を指示するアイコン情報を受信し、該受信したアイコン情報を順次表示する表示装置とネットワーク回線を介して通信可能に接続され、前記表示装置から指示される前記処理を実行可能なコンピュータが読み取り可能なプログラムであって、前記コンピュータを、前記表示装置にアイコン情報を送信する第２送信手段と、前記表示装置から指示された前記処理に係る処理実行量を第２記憶手段と、前記処理実行量に係る複数の分類と、該分類各々に対応した夫々異なる前記アイコン情報と、該各々のアイコン情報に対する優先順位を示す出力順情報と、を対応付けて記憶する第３記憶手段と、前記第２記憶手段に記憶された処理実行量に対応する分類を、前記第３記憶手段から特定する第２特定手段と、前記第２特定手段により特定される分類に対応する前記出力順情報と比較して、優先順位の高い前記出力順情報に対応付けられたアイコン情報から、前記第２特定手段により特定される分類に対応する前記出力順情報に対するアイコン情報までを、前記出力順情報にしたがい順次、前記表示装置に送信するよう前記第２送信手段
を制御する第２送信制御手段と、して機能させるためのプログラムである。
【００３１】
これにより、表示装置から指示された処理に係る処理実行量に応じて表示するように設定されたアイコン情報と、優先順位を示す出力順情報によりそのアイコン情報よりも優先的に表示するように設定されたアイコン情報とを、各々のアイコン情報が対応する出力順情報にしたがって順次送信することができるため、表示装置にアイコン情報を順次変化させながら表示させることができる。
【実施例】
【００３２】
（実施例１）
以下、本発明に係る処理装置を利用した具体的な表示システムについて、図面を用いて説明する。なお、本発明は以下に記載の構成に限定されるものではなく、同一の技術的思想において種々の構成を採用することが可能であることは云うまでもない。
【００３３】
図１は表示システムの構成を示す図である。図から明らかなとおり、表示システム１は、各種処理を実行可能な処理装置としての複合機１０と、画像及び音声を出力するテレビ２０とが、ネットワーク回線３０を介して接続されている。
【００３４】
複合機１０は、ＣＰＵ，ＲＯＭ，ＲＡＭ等（図示せず。）を備え、複合機１０の各動作（複合機１０全体）についての制御を行う制御部１１と、画像形成手段としての印刷部１２と、ネットワーク回線３０に接続され、このネットワーク回線３０を制御する通信部１３と、複合機１０の利用者からの指示を受け付ける操作部１４と、各種アイコン画像や各種データを記憶する記憶部１５と、原稿を読み取り画像データを生成する読取部１６と、各種情報を表示する表示部１７とを備えている。
【００３５】
なお、記憶部１５が記憶するアイコン画像は、複合機１０が実行可能な処理に対応しており、後述するようにテレビ２０に表示され、テレビ２０上でそのアイコン画像を操作することで、そのアイコン画像に対応した処理が開始されるようになっている。
【００３６】
また、記憶部１５は図２に示すように、印刷処理の実行を指示してきたテレビ２０からの使用履歴（印刷指示回数，印刷枚数，消耗品使用量）、及び、テレビ２０に表示するよう設定された表示アイコン画像を使用履歴テーブルとして記憶している。
【００３７】
さらに、この表示アイコン画像は図３の表示アイコンテーブルに示すように、テレビ２０からの印刷指示回数に対応して表示するアイコン画像を変化するように設定されており、印刷指示回数が０〜２０回ではタマゴのアイコン画像を、２１〜４０回ではヒヨコのアイコン画像を、４１回以上ではニワトリのアイコン画像を表示する構成となっている。また、これらアイコン画像には、それぞれアイコン表示優先度が設定されており、アイコン画像の表示順が決められている。
【００３８】
また、アイコン表示優先度の値が小さく設定されているアイコン画像から順に送信し、最後に使用履歴テーブルの表示アイコンに設定されているアイコン画像を送信するように構成され、テレビ２０でのアイコン画像の表示は、送信されてくる順に表示するようになっている。
【００３９】
例えば、テレビ４では、複合機１０に印刷処理を４６回指示し、累計の印刷枚数は１５４枚、アイコン画像は、印刷処理が４６回なので、図３の表示アイコンテーブルよりニワトリのアイコン画像が表示されるように設定されている。そのときのアイコン画像の表示の仕方は、ニワトリのアイコン画像（アイコン表示優先度「３」）が表示される前に、タマゴ（アイコン表示優先度「１」）のアイコン画像を表示し、続けてヒヨコのアイコン画
像（アイコン表示優先度「２」）を表示し、最後にニワトリのアイコン画像が表示されるようになっている。
【００４０】
テレビ２０は、ＣＰＵ，ＲＯＭ，ＲＡＭ等（図示せず。）を備え、テレビ２０の各動作（テレビ２０全体）についての制御を行う制御部２１と、各種データやプログラムを記憶する記憶部２２と、テレビを遠隔操作可能にするテレビリモコン，マウス，キーボード等から成る操作部２３と、ネットワーク回線３０に接続され、このネットワーク回線３０を制御する通信部２４と、画像を表示する表示部２５と、音声を出力する音声出力部２６から構成される。
【００４１】
なお、表示部２５は、複合機１０が備える各種アイコン画像を表示し、操作部２３により行われるアイコン画像の操作に基づいて、選択されたアイコン画像に対応する処理の動作を開始される指示を出すためのアイコン表示画面を表示する。
【００４２】
次に、上記のとおり構成された表示システム１による処理の流れについて、複合機１０及びテレビ２０がそれぞれ実行する処理について説明する。
【００４３】
（複合機１０の処理）
図４は、複合機１０がネットワーク回線３０に接続され、電源が投入されたときに実行されるアイコン画像送信処理１のフローを示したものである。なお、このフローに示される処理は、複合機１０の制御部１１により行われる。より具合的には、制御部１１を構成するＣＰＵがＲＯＭ等に記憶されたプログラムにしたがい実行されるものである。
【００４４】
先ず、電源が投入されると、ＵＰｎＰ（Ｕｎｉｖｅｒｓａｌ  Ｐｌｕｇ  ａｎｄ  Ｐｌａｙ：登録商標）の技術仕様に準拠したアドバタイズパケットをマルチキャストし、ネットワーク回線３０内に存在する他の装置（本実施例１ではテレビ２０）に自己の存在を知らせる（Ｓ４０５）。
【００４５】
そして、テレビ２０からネットワーク回線３０内にどのような装置が接続されているかを検索する検索要求を受信したか否かを判断する（Ｓ４１０）。ここで、検索要求を受信していないと判断すると（Ｓ４１０：ＮＯ）、このアイコン画像送信処理１を終了する。また、テレビ２０からの検索要求を受信したと判断すると（Ｓ４１０：ＹＥＳ）、アイコン画像を備えている旨を示す情報を含めてその検索要求に応答する（Ｓ４１５）。
【００４６】
次いで、その応答先のテレビ２０から複合機１０を特定するアイコン画像の送信要求を受信したか否かを判断する（Ｓ４２０）。ここで一定時間待機してもアイコン画像の送信要求を受信していないと判断すると（Ｓ４２０：ＮＯ）、このアイコン画像送信処理１を終了する。また、アイコン画像の送信要求を受信したと判断すると（Ｓ４２０：ＹＥＳ）、その送信要求元の装置へアイコン表示優先度（図３参照）に「１」と設定されているアイコン画像を送信する（Ｓ４２５）。
【００４７】
続いて、使用履歴テーブル（図２）を参照し、アイコン画像の送信要求元のテレビ２０に設定されている「表示アイコン画像」に割り当てられたアイコン画像のアイコン表示優先度が「１」以外であり、かつ、その「表示アイコン画像」に割り当てられたアイコン画像をまだ送信していないか否かを判断する、つまり、追加して送信すべきアイコン画像があるか否かを判断する（Ｓ４３０）。例えば、テレビ４からのアイコン画像の送信要求であった場合、「表示アイコン画像」にはニワトリのアイコン画像が設定されている。このニワトリのアイコン画像にはアイコン表示優先度は「３」と設定されているので、Ｓ４２５で表示したタマゴのアイコン画像（アイコン表示優先度「１」）を表示した後も、まだヒヨコのアイコン画像（アイコン表示優先度「２」）を表示しなければならない。そのた
め、この場合は、追加でヒヨコのアイコン画像を送信すべきであると判断される。
【００４８】
そして、追加で送信すべきアイコンがあると判断すると（Ｓ４３０：ＹＥＳ）、一定時間経過後、アイコン画像の送信要求元のテレビ２０に対しアイコン画像の更新がある旨（イベント）を通知する（Ｓ４３５）。続いて、そのテレビ２０からアイコン画像の送信要求があったか否かを判断し、送信要求があったと判断すると（Ｓ４４０：ＹＥＳ）、先に送信したアイコン画像の次に優先度の値が小さく設定されているアイコン画像を送信する（Ｓ４４５）。
【００４９】
なお、Ｓ４３５の「一定時間」は、例えば５秒に設定され、複数のアイコン画像を順に表示する際の一つのアイコン画像を表示している時間に相当し、利用者が自由に設定できるようになっていてもよいし、予め複合機１０に設定されていてもよい。
【００５０】
その後、Ｓ４３０に戻り、さらに追加して送信すべきアイコンがあるか否かを判断する。例えば、以上の説明では、テレビ４の場合、Ｓ４２５でタマゴのアイコン画像を送信し、さらに、Ｓ４４５でヒヨコのアイコン画像を送信しているが、使用履歴テーブルにはニワトリのアイコン画像が設定されているので、さらに追加すべきアイコン画像があると判断して再びＳ４３５以降の処理を行う。
【００５１】
一方、Ｓ４４０で、一定時間経過してもアイコン画像の送信要求がなかったと判断すると（Ｓ４４０：ＮＯ）、テレビ２０の電源が切れていたり、接続できない状態と判断してアイコン画像送信処理１を終了する。
【００５２】
また、Ｓ４３０において追加で送信すべきアイコン画像がないと判断される、つまり、使用履歴テーブルに記憶された「表示アイコン画像」を表示したと判断されると（Ｓ４３０：ＮＯ）、アイコン画像送信処理１を終了する。このとき、テレビ２０の表示部２５には最後に送信したアイコン画像が表示されている。
【００５３】
次に、図５は、複合機１０がネットワーク回線３０に接続されている状態で実行されるアイコン画像送信処理２のフローを示したものである。
【００５４】
先ず、ネットワーク回線３０に接続されたテレビ２０から何らかのパケットやデータを受信すると（Ｓ５０５）、その受信をトリガとしてネットワーク回線３０に接続されたすべての装置に対し複合機１０の存在とアイコン画像の更新の旨（イベント）を通知する（Ｓ５１０）。そして、その通知に対してアイコン画像の送信要求があったか否かを判断し（Ｓ５１５）、一定時間何も応答がない場合（Ｓ５１５：ＮＯ）、アイコン画像送信処理２を終了する。一方、アイコン画像の送信要求があったと判断されると（Ｓ５１５：ＹＥＳ）、Ｓ５２０に移行する。
【００５５】
なお、Ｓ５２０以降の処理ステップについてはアイコン画像送信処理１のＳ４２５以降と同様の処理ステップとなるので説明を省略する。
【００５６】
このアイコン画像送信処理１及び２によれば、テレビ２０毎に、利用頻度により異なるアイコン画像を表示させることができるため、利用者は、表示されたアイコン画像を見るだけで、どの程度複合機１０を利用したかがわかる。
【００５７】
さらに、使用履歴テーブルの「表示アイコン画像」に設定されたアイコン画像が表示される前に、そのアイコン画像よりも先に表示させるようにアイコン表示優先度の値が小さく設定されたアイコン画像を順に表示するようになっている。そのため、アイコン画像がテレビ２０で表示されている際、誤ってアイコン画像を自動配列してしまった場合でも、
アイコン画像が順に変化するので、画面上のいずれに配列されても容易に見つけ出すことができ、アイコン画像の選択操作性を向上させることができる。
【００５８】
また、利用者は、タマゴからヒヨコに変化するアイコンを見て微笑ましく思い、さらに複合機１０を利用することにより、次に表示されるアイコン画像がいかなるものか興味を抱き、複合機１０を利用しようとする意欲を沸き立てる。
【００５９】
そして、従来のアイコン表示画面は利用者を楽しませることのない退屈な画面であるが、本発明はアイコン画像を順次変化させることによりアイコン画像にストーリ性を持たせることができるので、アイコン表示画面でも利用者を楽しませることができる。
【００６０】
さらに、アイコン画像送信処理２によれば、いかなるパケットやデータの受信をもトリガとしてこの処理を開始するので、この複合機１０に対する処理をしようとテレビ２０が検索パケットをマルチキャストした場合はもちろん、テレビ２０が他の装置、例えば図示しないプリンタ等に印刷処理をさせるため検索パケットをマルチキャストした場合でも、その検索パケットを受信した複合機１０はこのアイコン画像送信処理２を実行する。そして、テレビ２０上でこの複合機１０を特定するアイコン画像が順次変化することにより、利用者は複合機１０の存在に気付くため、印刷装置の選択の幅を広げることができる。
【００６１】
また、複合機１０は上記の処理の他に、使用履歴テーブルを更新する履歴更新処理も実行する。図６は、その履歴更新処理のフローを示したものである。
【００６２】
先ず、テレビ２０から印刷指示があったか否かを判断し（Ｓ６０５）、印刷指示があったと判断すると（Ｓ６０５：ＹＥＳ）、印刷処理を実行する（Ｓ６１０）。そして、そのテレビ２０が使用履歴テーブルに記憶されているか否かを判断し（Ｓ６１５）、使用履歴テーブルにそのテレビ２０が記憶されていると判断すると（Ｓ６１５：ＹＥＳ）、その使用履歴をＳ６０５で受信した印刷処理に関する情報に基づいて更新する（Ｓ６２０）。具体的には、印刷指示回数に１を加え、印刷した用紙枚数を印刷枚数に加え、使用した消耗品の量を消耗品使用量に加える。
【００６３】
一方、使用履歴に記憶されていないテレビ２０からの印刷指示であった場合（Ｓ６１５：ＮＯ）、使用履歴テーブルにそのテレビ２０を新規に設定し、そのテレビ２０に対応させてＳ６０５で受信した印刷処理に関する情報に基づき登録する（Ｓ６２０）。
【００６４】
また、Ｓ６０５でテレビ２０からは印刷指示ではなかったと判断すると（Ｓ６０５：ＮＯ）、他の処理指示であると判断し、履歴更新処理を終了する。
【００６５】
（テレビ２０の処理）
図７は、テレビ２０がネットワーク回線３０に接続され、電源が投入されたときに実行されるアイコン画像表示処理１のフローを示したものである。なお、このフローに示される処理は、テレビ２０の制御部２１により行われる。より具合的には、制御部２１を構成するＣＰＵがＲＯＭ等に記憶されたプログラムにしたがい実行されるものである。
【００６６】
先ず、電源が投入されると、ネットワーク回線３０内にどのような装置（本実施例１では複合機１０）が存在しているかを検索する検索要求をマルチキャストし（Ｓ７０５）、その検索に対する応答を受信したか否かを判断する（Ｓ７１０）。そして、検索応答があったと判断すると（Ｓ７１０：ＹＥＳ）、その応答にアイコン画像を備えている旨を示す情報が含まれているか否かを判断する（Ｓ７１５）。
【００６７】
ここで、アイコン画像を備えている旨を示す情報が含まれていると判断すると（Ｓ７１
５：ＹＥＳ）、その応答をしてきた複合機１０に対してアイコン画像を送信するように要求する（Ｓ７２０）。そして、アイコン画像を受信すると（Ｓ７２５：ＹＥＳ）、表示部２５にそのアイコンを表示する（Ｓ７３０）。
【００６８】
一方、Ｓ７２５でアイコン画像を受信していない場合（Ｓ７２５：ＮＯ）、Ｓ７１５で検索応答にアイコン画像を備えている旨を示す情報が含まれていない場合（Ｓ７１５：ＮＯ）、Ｓ７１０で検索応答が一定時間なかった場合（Ｓ７１０：ＮＯ）はアイコン画像表示処理１を終了する。
【００６９】
次に、図８は、テレビ２０がネットワーク回線３０に接続されている状態で実行されるアイコン画像表示処理２のフローを示したものである。
【００７０】
先ず、ネットワーク回線３０に接続された複合機１０から何らかのイベント情報を受信する（Ｓ８０５）。そして、このイベント情報に、表示部２５に表示されるアイコン画像の更新を示す情報が含まれているか否かを判断し（Ｓ８１０）、アイコン画像更新情報が含まれていると判断すると（Ｓ８１０：ＹＥＳ）、そのアイコン画像を送信するよう要求する（Ｓ８１５）。
【００７１】
続いて、アイコン画像を受信したか否かを判断し（Ｓ８２０）、アイコン画像を受信したと判断すると（Ｓ８２０：ＹＥＳ）、表示部２５に表示されているアイコン画像を更新する（Ｓ８２５）。なお、表示部２５にアイコン画像が表示されていない場合は、受信したアイコン画像を新たに表示する。
【００７２】
一方、Ｓ８２０で一定時間経過してもアイコン画像を受信していない場合（Ｓ８２０：ＮＯ）、及び、Ｓ８１０でイベント内にアイコン画像の更新を示す情報が含まれていない場合（Ｓ８１０：ＮＯ）はアイコン画像表示処理２を終了する。
【００７３】
（実施例２）
以下、実施例１とは異なる表示システムについて、具体的に説明する。
【００７４】
なお、上記実施例１では、図３の「表示アイコン画像」として設定されたアイコン画像が表示されるまでアイコン表示優先度にしたがってアイコン画像を順に表示し、「表示アイコン画像」として設定されたアイコン画像を表示した後は、そのアイコン画像を表示し続けた状態であった。本実施例２は「表示アイコン画像」として設定されたアイコン画像が表示された後も、アイコン表示優先度が「１」に設定されたアイコンから再び「表示アイコン画像」として設定されたアイコン画像まで表示を繰り返す点においてのみ実施例１と相違するものである。したがって、以下の説明では同一の構成及び処理手順については詳細を省略し、相違する点のみを説明する。
【００７５】
（複合機１０の処理）
図９は、複合機１０がネットワーク回線３０に接続され、電源が投入されたときに実行されるアイコン画像送信処理１のフローを示したものである。なお、Ｓ９０５〜Ｓ９４５はＳ４０５〜Ｓ４４５と同様の処理ステップなので説明を省略する。
【００７６】
Ｓ９３０において追加で送信すべきアイコン画像がないと判断される、つまり、使用履歴テーブルの「表示アイコン画像」に設定されたアイコン画像を表示したと判断されると（Ｓ９３０：ＮＯ）、Ｓ９５０に移行し、アイコン画像の表示がループ設定されているか否かを判断する（Ｓ９５０）。ループ設定されていると判断すると（Ｓ９５０：ＹＥＳ）、アイコン画像の送信要求元のテレビ２０に対しアイコン画像の更新がある旨（イベント）を通知する（Ｓ９５５）。そして、そのテレビ２０からアイコン画像の送信要求があっ
たか否かを判断し、アイコン送信要求があったと判断すると（Ｓ９６０：ＹＥＳ）、アイコン表示優先度が「１」に設定されているアイコン画像を送信する（Ｓ９２５）。続けて、再びＳ９３０以降の処理ステップを行う。
【００７７】
なお、Ｓ９６０で、一定時間経過してもアイコン送信要求がないと判断すると（Ｓ９６０：ＮＯ）、アイコン画像送信処理１を終了する。
【００７８】
また、Ｓ９５０で、ループ設定されていないと判断すると（Ｓ９５０：ＮＯ）、アイコン画像送信処理１を終了し、テレビ２０の表示部２５には最後に送信した「表示アイコン画像」に設定されたアイコン画像が表示される。
【００７９】
次に、複合機１０がネットワーク回線３０に接続されている状態で実行されるアイコン画像送信処理２の説明をする。
【００８０】
この処理は、フローとして図示しないが、実施例１の図４のＳ５０５〜Ｓ５１５の処理ステップに続き、図９のＳ９２５〜Ｓ９６０の処理ステップを行うものであるので、それぞれのステップの説明は省略する。
【００８１】
この実施例２におけるアイコン画像送信処理１及び２によれば、テレビ２０毎に利用頻度により異なるアイコン画像を表示させることができるため、利用者は、表示されたアイコン画像を見るだけで、どの程度複合機１０を利用したかがわかる。
【００８２】
さらに、使用履歴テーブルの「表示アイコン画像」に設定されたアイコン画像が表示された後も、再びアイコン表示優先度が「１」に設定されたアイコン画像から順に、「表示アイコン画像」に設定されたアイコン画像まで繰り返し表示を何回も行うので、利用者は、アイコン表示画面に表示される複数のアイコン画像の中からよく使用する複合機１０のアイコン画像を見つけやすい。そのため、印刷処理を行う際のアイコン画像選択の操作性を向上させることができる。
【００８３】
以上のように、本発明の処理装置及び表示システムについて説明してきたが、アイコン画像の代わりに音声データを送信したり、アイコン画像とともにそのアイコン画像特有の音声データを送信し、出力するようにしてもよい。
【００８４】
係る場合、アイコン表示画面が、他の画面を表示しているため利用者からすぐ見て分かる状態にないときでも、音声データを出力するようにすることで、音声により複合機１０の存在を確認することができる。また、アイコン画像とともにそのアイコン画像特有の音声データを出力するようにすることで、印刷指示回数に応じてのアイコン画像の変化により音声データも変化することになるので、音声だけ聞いていても、どのくらい頻繁に複合機１０を利用しているかがわかる。
【００８５】
また、使用履歴テーブルにテレビ２０からの印刷指示があった最終日時を記憶しておき、その日時から所定期間以上経過すると、そのテレビ２０の印刷指示回数を所定回数分減らしたり、０回にリセットしたり、増やしたりするように構成されているとよい。
【００８６】
係る場合、アイコンの表示がそれまでとは異なるため、利用者に近くその複合機１０を利用していなかったことを気付かせることが出来る。また、処理指示回数が所定期間０回であった場合は、処理指示回数を所定回数分増やすことでアイコン表示が変化し、利用者に、複合機１０の存在を知らしめることができる。
【００８７】
さらに、Ｓ４３５やＳ５３０、Ｓ９３５、Ｓ９５５等のアイコンが更新した旨をテレビ
２０に通知するステップを省略し、追加で送信するアイコン画像が存在する場合は、一方的に送信するように構成されていてもよい。
【００８８】
係る場合、アイコンが更新した旨を送信し、返信が来るまでの時間を短縮することが出来るため、返信の遅いテレビ２０へのアイコン画像の送信に関してもスムーズにアイコン画像を送信することが出来る。
【００８９】
なお、上記実施例のようにどのアイコン画像を送信するかの判断の基準は印刷処理の回数に限ることはない。例えば、印刷した枚数や消耗品の量などでもよいし、印刷処理以外のスキャナ、ＦＡＸ等の利用回数などを基準にしてもよい。
【００９０】
また、アイコン画像はタマゴ，ヒヨコ，ニワトリに限定するものではなく、適宜、処理や装置、アプリケーション等に合わせて設定されるとよい。
【図面の簡単な説明】
【００９１】
【図１】本発明の実施例における表示システムの構成を示した図
【図２】本発明の実施例における使用履歴テーブルを示した図
【図３】本発明の実施例における表示アイコンテーブルを示した図
【図４】本発明の実施例１における複合機により行われるアイコン画像送信処理１のフローを示す図
【図５】本発明の実施例１における複合機により行われるアイコン画像送信処理２のフローを示す図
【図６】本発明の実施例１における複合機により行われる履歴更新処理のフローを示す図
【図７】本発明の実施例１におけるテレビにより行われるアイコン画像表示処理１のフローを示す図
【図８】本発明の実施例１におけるテレビにより行われるアイコン画像表示処理２のフローを示す図
【図９】本発明の実施例２における複合機により行われるアイコン画像送信処理１のフローを示す図
【符号の説明】
【００９２】
１０  複合機（処理装置）
２０  テレビ（表示装置）
３０  ネットワーク回線
【図１】
0004631780.tif 000002
【図２】
0004631780.tif 000003
【図３】
0004631780.tif 000004
【図４】
0004631780.tif 000005
【図５】
0004631780.tif 000006
【図６】
0004631780.tif 000007
【図７】
0004631780.tif 000008
【図８】
0004631780.tif 000009
【図９】
0004631780.tif 000010